(57)【特許請求の範囲】
【請求項１】
建築物に設置されて配線工事された複数の分岐ブレーカを備えた分電盤と，コンセントや照明器具などの配線端末との接続に関し，
前記分電盤内において各分岐ブレーカの負荷側配線に予め設けられ分岐ブレーカ毎に通電電流の変化を測定する手段と，前記通電電流の変化が測定された該分岐ブレーカ毎の通電電流を子機に対して送信する手段を備えて分電盤側に設けられる親機と，
親機からの送信信号を受信する手段と，分岐ブレーカ毎の通電電流を表示する手段と，前記配線端末のＬ極及びＮ極の各極ごとに対地電圧の有無を判定する検電器とを備えて配線端末側に設けられる子機と，
分岐ブレーカ毎の配線端末に接続する負荷装置から成り，
負荷装置を接続した際の各分岐ブレーカ毎の通電電流の変化から各配線端末が接続されている分岐ブレーカを特定することを特徴とする分電盤の分岐回路接続チェック装置。
【請求項２】
前記親機には，前記複数の分岐ブレーカが接続される幹線の零相電流測定手段と，幹線に流れる零相電流を子機に対して送信する手段を備え，
前記子機には，アース極を備えた配線端末のうち，電圧極とアース極の間に接続する抵抗手段と，親機からの送信信号を受信する手段と，幹線の零相電流を表示する手段を備え，
前記抵抗手段を通じて電圧極とアース極の間に流れる零相電流を前記零相電流測定手段により測定し，該零相電流を子機で読み取ることにより，配線端末のアース極と大地との接続状態を確認することを特徴とする請求項１記載の分電盤の分岐回路接続チェック装置。
【請求項３】
前記抵抗手段の抵抗値は，零相電流値が主幹ブレーカの漏電遮断器の動作感度電流値未満となるような値であることを特徴とする請求項２に記載の分電盤の分岐回路接続チェック装置。
【請求項４】
前記分岐ブレーカ毎の通電電流測定手段は，
各分岐ブレーカの負荷側配線のＬ極とＮ極に夫々設けられ，往復電流を測定するものであることを特徴とする請求項１または請求項２または請求項３のうち何れか１項に記載の分電盤の分岐回路接続チェック装置。
【発明の詳細な説明】
【技術分野】
【０００１】
本件の発明は，分電盤の分岐回路の接続チェック装置に係わる。
【背景技術】
【０００２】
従来，建物の電気設備工事の竣工検査などにおいて，分電盤の負荷側の配線接続チェックは，分電盤側と接続配線端末側に人を分けて配し，分岐ブレーカー１回路毎に声を掛け合いながら各々の配線が配線設計で指定された分岐ブレーカーに接続されているかを，実際に電気を通電しながらチェックしていた。
【先行技術文献】
【特許文献】
【０００３】
【特許文献１】特開２００３−１０７１２１号公報
【発明の概要】
【発明が解決しようとする課題】
【０００４】
しかしながら，例えば建物が集合住宅などで，分電盤の設置数量がたくさんある場合には，それぞれの分電盤全てについて分岐ブレーカの配線接続をチェックしていくのは，非常に多くの時間と人手がかかる作業となっていた。また，近年はコンセントなどは接地極付きのものが増える傾向にあり，コンセントへの配線極性や接地線の接続チェックも必要になるなど，複雑化する傾向にある。本発明は，上記問題点を解決するために，分電盤に接続される配線について，分岐ブレーカと配線端末間の接続チェックや，コンセントの接続極性と接地の接続チェックが一人で行え，集合住宅などでも検査に要する人手を削減できるような分電盤の分岐回路の接続チェック装置を提供することを目的とするものである。
【課題を解決するための手段】
【０００５】
請求項１は，建築物に設置されて配線工事された複数の分岐ブレーカを備えた分電盤と，コンセントや照明器具などの配線端末との接続に関し，前記分電盤内において各分岐ブレーカの負荷側配線に予め設けられ分岐ブレーカ毎に通電電流の変化を測定する手段と，前記通電電流の変化が測定された該分岐ブレーカ毎の通電電流を子機に対して送信する手段を備えたて分電盤側に設けられる親機と，親機からの送信信号を受信する手段と，分岐ブレーカ毎の通電電流を表示する手段と，前記配線端末のＬ極及びＮ極の各極ごとに対地電圧の有無を判定する検電器とを備えて配線端末側に設けられる子機と，分岐ブレーカ毎の配線端末に接続する負荷装置から成り，負荷装置を接続した際の各分岐ブレーカ毎の通電電流の変化から配線端末が接続されている分岐ブレーカを特定することを特徴とする分電盤の分岐回路接続チェック装置を提供するものである。
【０００６】
請求項２は，前記親機には，前記複数の分岐ブレーカが接続される幹線の零相電流測定手段と，幹線に流れる零相電流を子機に対して送信する手段を備え，前記子機には，アース極を備えた配線端末のうち，電圧極とアース極の間に接続する抵抗手段と，親機からの送信信号を受信する手段と，幹線の零相電流を表示する手段を備え，前記抵抗手段を通じて電圧極とアース極の間に流れる零相電流を前記零相電流測定手段により測定し，該零相電流を子機で読み取ることにより，配線端末のアース極と大地との接続状態を確認することを特徴とする分電盤の分岐回路接続チェック装置を提供するものである。
【０００７】
削除
【０００８】
削除
【０００９】
削除
【発明の効果】
【００１０】
以上のように請求項１の発明では，建築物に設置されて配線工事された複数の分岐ブレーカを備えた分電盤と，コンセントや照明器具などの配線端末との接続に関し，前記分電盤内において各分岐ブレーカの負荷側配線に予め設けられ分岐ブレーカ毎に通電電流の変化を測定する手段と，前記通電電流の変化が測定された該分岐ブレーカ毎の通電電流を子機に対して送信する手段を備えて分電盤側に設けられる親機と，親機からの送信信号を受信する手段と，分岐ブレーカ毎の通電電流を表示する手段と，前記配線端末のＬ極及びＮ極の各極ごとに対地電圧の有無を判定する検電器とを備えて配線端末側に設けられる子機と，分岐ブレーカ毎の配線端末に接続する負荷装置から成り，負荷装置を接続した際の各分岐ブレーカ毎の通電電流の変化から各配線端末が接続されている分岐ブレーカを特定するようにしたので，子機を配線端末の位置まで持ち歩き，配線端末のアース極が確実に接地されているかどうかを判別できる。また，電流表示手段で表示される負荷装置を入切したときの電流変化からその配線端末がどの分岐ブレーカに接続されているのかが容易に判別できる。
【００１１】
請求項２の発明では，前記親機には，前記複数の分岐ブレーカが接続される幹線の零相電流測定手段と，幹線に流れる零相電流を子機に対して送信する手段を備え，前記子機には，アース極を備えた配線端末のうち，電圧極とアース極の間に接続する抵抗手段と，親機からの送信信号を受信する手段と，幹線の零相電流を表示する手段を備え，前記抵抗手段を通じて電圧極とアース極の間に流れる零相電流を前記零相電流測定手段により測定し，該零相電流を子機で読み取ることにより，配線端末のアース極と大地との接続状態を確認するようにしたので，抵抗手段を配線端末の電圧極とアース極に接続した際の子機の電流表示手段の零相電流の表示から配線端末のアース極が確実に接地されているかどうかを判別できる。
【００１２】
削除
【００１３】
削除
【００１４】
削除
【図面の簡単な説明】
【００１５】
【図１】本件発明による第一の実施例の図
【図２】本件発明請求項５の実施例の図
【図３】表示器の表示例の図
【発明を実施するための形態】
【００１６】
以下，本発明の実施の形態について，図面を用いて詳細に説明する。
【００１７】
図１に本件発明のチェック装置の実施例を示す。図１において１は分電盤で，５は主幹ブレーカ，６〜９は複数の分岐ブレーカ，２〜４はＬ１，Ｎ，Ｌ２極の幹線の導体，１０はアース端子である。２３〜３１は分電盤１から引き出された各分岐ブレーカに接続される分岐配線で，３４，３５，３６，３９は各配線の端末で，３４と３５は照明，３２と３３は照明ＯＮ/ＯＦＦ用の手元スイッチ，３６と３９はコンセントで，そのうち３９は接地極付きのものである。
【００１８】
図１において，１１は幹線２，３，４の零相電流を測定するための零相変流器，１２〜１５はそれぞれ分岐ブレーカ６〜９の通電電流を個別に測定するための変流器で，親機２２に接続される。１６は零相変流器１１が接続される零相電流検出回路，１７〜２０は変流器１２〜１５が接続される電流検出回路である。なお，本例では，分岐ブレーカが４つの場合を例示しているが，先の１２〜１５の変流器と１７〜２０の電流検出回路は，分岐ブレーカの数分用意されるものであり，分岐ブレーカの数やそれぞれの配線端末は図１に限定されるものではない。２１は，零相電流と各分岐ブレーカの通電電流を子機５６に対して送信する送信回路であり，零相電流と各分岐ブレーカの通電電流の電流値を個別にデータとして送信する。２２が親機である。
【００１９】
４５は，３６や３９のコンセントなどに接続する負荷装置で，ターミナル４３，４４を有する。より具体的には，抵抗器でもよいしヘヤドライヤーのような電気製品でもよい。４６，４７は同じくコンセントなどに接続するターミナル，４８はコンセントなどの接地極に接続するターミナルである。５１は電圧計でターミナル４６，４７間の電圧を測定するが，なくてもよい。５４と５５は検電器で，ターミナル４６と４７の大地に対する電圧の有無をチェックする。図では検電器は２つ用いるようになっているが，ひとつの検電器でターミナル４６，４７を切り替えるようにしてもよい。５３はターミナル４６と４８間にスイッチ５１を介して接続される抵抗器である。５６は子機である。
【００２０】
４９は前記の送信回路２１から送信されるデータを受信する受信回路，５０は表示器で，先の零相電流や各分岐ブレーカ毎の通電電流を表示するもので，値として表示してもよいし，閾値を設けてランプ表示としてもよい。なお，送受信の通信媒体については，電波などの無線方式としてもよいし，有限の電線でもよいし，電灯線搬送などを用いてもよい。
【００２１】
以上のような構成において，分電盤の負荷側の配線チェック方法について述べる。まず，分電盤の幹線導体と各分岐ブレーカの負荷側配線に図１の変流器１１〜１５をクランプさせて主幹，分岐の各ブレーカは全てＯＮにしておく。次に子機５６，負荷装置４５を持って，照明やコンセントなどの設置場所に移動する。３４の照明がどの分岐ブレーカに接続されているかを調査するには，表示器５０を見ながら手元スイッチ３２を入切させる。すると親機側では，１２の変流器が電流の変化を検知し，親機２２から子機５５に対して１２の変流器電流値が送信され，測定者は表示器５０の１２の変流器を取付けた分岐ブレーカの電流表示の変化から照明３４は変流器１２を取付けた分岐ブレーカすなわち６に接続されていることが判明する。３５の照明についても同様である。図３に表示器の表示の一例を示す。先の３４の照明を入切した場合では，入切操作に合わせて分岐ブレーカ６の電流表示値が変化するので，照明３４は分岐ブレーカ６に接続されていると判断できる。図３は一例であって，先に述べたように電流値を表示しなくても閾値を設けてある幅で電流値が変化したとき，その分岐ブレーカに対応するランプが点滅するようにしてもよい。
【００２２】
次に，配線端末がコンセントの場合について説明する。４５の負荷装置のターミナル４３，４４をコンセント３６のターミナル３７，４０に接続する。負荷機器４５には電流が流れるから，先の照明の場合と同様に表示器の電流表示の変化からコンセント３６は分岐ブレーカ８に接続されていることが判明する。なお，４３と４４のターミナルは４６と４７のターミナルと共用してスイッチで負荷装置の電源を入切するようにしてもよい。仮に各分岐ブレーカの負荷に先の照明や負荷装置以外の機器（例えば冷蔵庫など）が接続され使用中であっても，分岐ブレーカの特定は容易に行える。すなわち，表示器５０の表示は照明３４や負荷装置４５の入切に連動するが，その他の機器の通電電流は入切操作に連動しないからである。入切操作と合わせて電流が変化する分岐ブレーカがその配線端末が接続されている分岐ブレーカである。
【００２３】
次に，コンセントの接続極性が正しいかどうかをチェックするには，ターミナル４６，４７がコンセント３６のターミナル３７，４０に接続された状態で検電器５４，５５の表示を確認する。４６が３７に４７が４０に接続された状態では，５４の検電器が電圧があることを表示し，５５の検電器は表示しないから極性接続は正しいと判別できる。もし逆の場合は３７のターミナルがＮ極に３８のターミナルがＬ極につながっており，また両方の検電器が点灯していれば，３７と４０の両方のターミナルがＬ極に接続されていることになって接続間違いであると判別できる。
【００２４】
さらに，３９のような接地極付きのコンセントの場合の接地極のターミナル４２が確実にアースにつながっているかどうかのチェック方法について説明する。４６を３８，４７を４１，４８を４２のターミナルに接続し，スイッチ５２を入れる。もし配線に間違いがなければ，Ｌ２極から大地に向けて抵抗器５３の値によって定まる電流が流れるから，零相変流器１１がその電流を検出し，表示器５０がその電流を表示するから，その表示から，確実にアースに接続されているかどうかが判別できる。すなわち，もし配線間違いで，４２のターミナルがＮ極に接続されている場合は，抵抗５３によって流れる電流はＬ，Ｎの往復電流となるから，零相変流器１１は電流を検知しない。また，ターミナル４２がアースに確実に接続されていない場合も電流が流れないから零相変流器１１は電流を検知しない。先の抵抗器５３の抵抗値は，主幹ブレーカ５が漏電遮断器である場合，その動作感度電流未満に設定すると，測定のたびに主幹ブレーカが遮断動作せず都合がよい。
【００２５】
以上の図１の説明において，例えば，２４の配線が分岐ブレーカ７のＮ極側に接続されている場合，配線としては間違いであるが，照明３４は分岐ブレーカ６に接続されていると判定できて，間違いを判定できないことが想定される。その場合，図２に示すように，通電電流は往復を測定するようにしてもよい。図２の例では，各分岐ブレーカの両方の極の配線にそれぞれ変流器１２，１２‘，１３，１３’，１４，１４‘，１５，１５’が取付けられており，通電電流検出回路１７，１８，１９，２０はそれぞれの変流器の検出電流を検出し，送信回路２１で受信回路４９に送信し，表示器５０は各分岐ブレーカの往路と復路のそれぞれの電流を表示するようにする。このようにすれば，先の例の場合，通電電流は分岐回路６と７の両方に現れ，配線間違いであると判定できる。
【符号の説明】
【００２６】
１    分電盤
２，３，４  主導体
５  主幹ブレーカ
６，７，８，９  分岐ブレーカ
８，９，１０  配線
１０  アース端子
１１  零相変流器
１２〜１５  変流器
１６  零相電流検知回路
１６〜２０  分岐ブレーカの通電電流検知回路
２１  送信回路    
２３〜３１  分岐ブレーカの負荷側の配線          
３２，３３  手元スイッチ
３４，３５  照明
３６，３９  コンセント
３７，３８，４０，４１  コンセントのターミナル
４２  コンセントのアース極のターミナル
４５  負荷装置
４３，４４  負荷装置のターミナル
４６〜４８  子機のターミナル
４９  受信回路
５０  表示手段
５２  スイッチ
５３  抵抗手段
５４，５５  検電器
５６  子機
【図１】
0005505887.tif 000002
【図２】
0005505887.tif 000003
【図３】
0005505887.tif 000004